(57)【要約】【課題】殺菌効果の高い新たな紫外線照射装置を提供する。【解決手段】紫外線照射装置１０は、開口部１２を有する筐体１４と、筐体１４の内部に設けられており、紫外線を発する紫外線発生部と、筐体１４の内部に設けられており、筐体内に風を生じさせる風発生部１８と、を備える。開口部１２は、紫外線が照射される照射対象が配置されるように設けられている。紫外線発生部は、開口部１２に向けて紫外線を照射するように配置されている。風発生部１８は、照射対象に当たる風を生じさせるように構成されている。【選択図】図１
2019216831.tif 000002
【特許請求の範囲】
【請求項１】
開口部を有する筐体と、
前記筐体の内部に設けられており、紫外線を発する紫外線発生部と、
前記筐体の内部に設けられており、筐体内に風を生じさせる風発生部と、を備え、
前記開口部は、前記紫外線が照射される照射対象が配置されるように設けられており、
前記紫外線発生部は、前記開口部に向けて紫外線を照射するように配置されており、
前記風発生部は、前記照射対象に当たる風を生じさせるように構成されていることを特徴とする紫外線照射装置。
【請求項２】
前記開口部は、前記照射対象で閉塞されるように形成されていることを特徴とする請求項１に記載の紫外線照射装置。
【請求項３】
前記開口部を囲む前記筐体の内壁は、前記紫外線を前記開口部に向けて反射する反射部を有することを特徴とする請求項１または２に記載の紫外線照射装置。
【請求項４】
前記筐体の内壁は、酸化チタンが塗布されていることを特徴とする請求項３に記載の紫外線照射装置。
【請求項５】
前記風発生部は、ファンと、前記ファンが発する風の向きを変える風向変更機構と、を有することを特徴とする請求項１乃至４のいずれか１項に記載の紫外線照射装置。
【請求項６】
前記紫外線発生部は、ピーク波長が２５０〜３００ｎｍの範囲にある紫外線を発することを特徴とする請求項１乃至５のいずれか１項に記載の紫外線照射装置。
【請求項７】
前記筐体は、前記開口部と前記紫外線発生部との間に、前記風発生部が生じさせた風が前記照射対象に当たることで該照射対象から離間したウイルスを前記紫外線で殺菌する殺菌室が設けられていることを特徴とする請求項１乃至６のいずれか１項に記載の紫外線照射装置。
【請求項８】
前記筐体は、前記殺菌室の前記開口部がある側とは反対側の領域に予備室が設けられており、
前記風発生部は、前記殺菌室と前記予備室とを隔てる隔壁部に設けられており、
前記予備室は、前記風発生部を経由して前記殺菌室から流入したウイルスに紫外線を照射する予備紫外線発生部が設けられていることを特徴とする請求項７に記載の紫外線照射装置。
【請求項９】
前記予備室は、前記殺菌室に対して正圧になるように構成されていることを特徴とする請求項８に記載の紫外線照射装置。
【発明の詳細な説明】
【技術分野】
【０００１】
本発明は、紫外線照射装置に関する。
【背景技術】
【０００２】
病院や介護施設等の病室や食堂施設において、ウイルス等の感染症の防止は非常に重要な課題である。そのため、薬液を用いた消毒作業が一般的であるが、作業中に消毒場所を閉鎖する必要があり、また、薬液を除去する必要もあるため、作業負担は大きい。これに対して、薬液を用いない殺菌消毒方法として、紫外線ランプを用いた殺菌消毒装置が考案されている（特許文献１参照）。
【先行技術文献】
【特許文献】
【０００３】
【特許文献１】特開平６−６３１０８号公報
【発明の概要】
【発明が解決しようとする課題】
【０００４】
しかしながら、紫外線による殺菌は、紫外線がウイルス等に照射されることが必要である。そのため、例えば、カーペットのような表面が凸凹のフロアの場合、起毛部分の影に存在するウイルスに対しては紫外線による殺菌効果が著しく減少する。
【０００５】
本発明はこうした課題に鑑みてなされたものであり、その例示的な目的のひとつは、殺菌効果の高い新たな紫外線照射装置を提供することにある。
【課題を解決するための手段】
【０００６】
上記課題を解決するために、本発明のある態様の紫外線照射装置は、開口部を有する筐体と、筐体の内部に設けられており、紫外線を発する紫外線発生部と、筐体の内部に設けられており、筐体内に風を生じさせる風発生部と、を備える。開口部は、紫外線が照射される照射対象が配置されるように設けられており、紫外線発生部は、開口部に向けて紫外線を照射するように配置されており、風発生部は、照射対象に当たる風を生じさせるように構成されている。
【０００７】
例えば、紫外線が照射される照射対象がカーペットのような起毛性の生地の場合、その隙間に入り込んだウイルスや細菌、微生物等（以下、「ウイルス」という。）には直接紫外線が届かないことがある。この態様によると、開口部に配置された照射対象に対して風を当てることで、照射対象に付着していたウイルスのような殺菌対象が移動し、それまで紫外線が届かないところに存在していたウイルスに対しても紫外線を照射することができる。その結果、殺菌効果の高い紫外線照射装置を実現できる。
【０００８】
開口部は、照射対象で閉塞されるように形成されていてもよい。これにより、照射対象に付着していたウイルスが風により開口部から外部へ飛散することを抑制できる。
【０００９】
開口部を囲む筐体の内壁は、紫外線を開口部に向けて反射する反射部を有してもよい。これにより、紫外線が無駄なく照射対象に照射される。
【００１０】
筐体の内壁は、酸化チタンが塗布されていてもよい。これにより、消臭やウイルスの殺菌を更に効率良く行える。
【００１１】
風発生部は、ファンと、ファンが発する風の向きを変える風向変更機構と、を有してもよい。これにより、照射対象の広い範囲に対して、風を一様に当てることができる。
【００１２】
紫外線発生部は、ピーク波長が２５０〜３００ｎｍの範囲にある紫外線を発してもよい。これにより、ウイルスを不活化するとともに、照射対象が紫外線で劣化することを抑制できる。
【００１３】
筐体は、開口部と紫外線発生部との間に、風発生部が生じさせた風が照射対象に当たることで該照射対象から離間したウイルスを紫外線で殺菌する殺菌室が設けられていてもよい。これにより、照射対象から離間したウイルスを効率良く殺菌できる。
【００１４】
筐体は、殺菌室の開口部がある側とは反対側の領域に予備室が設けられており、風発生部は、殺菌室と予備室とを隔てる隔壁部に設けられており、予備室は、風発生部を経由して殺菌室から流入したウイルスに紫外線を照射する予備紫外線発生部が設けられていてもよい。これにより、予備室に流入したウイルスも殺菌できる。
【００１５】
予備室は、殺菌室に対して正圧になるように構成されていてもよい。これにより、殺菌室から予備室へウイルスが侵入しにくくなり、殺菌室でウイルスを効率良く殺菌できる。
【００１６】
なお、以上の構成要素の任意の組合せ、本発明の表現を方法、装置、システムなどの間で変換したものもまた、本発明の態様として有効である。
【発明の効果】
【００１７】
本発明によれば、殺菌効果の高い紫外線照射装置を実現できる。
【図面の簡単な説明】
【００１８】
【図１】本実施の形態に係る紫外線照射装置の概略構成の断面図である。
【発明を実施するための形態】
【００１９】
以下、本発明の実施の形態について図面を参照して説明する。なお、図面の説明において同一の要素には同一の符号を付し、重複する説明を適宜省略する。また、各図面における各構成要素の寸法比は、必ずしも実際の紫外線照射装置の寸法比と一致しない。また、以下に述べる構成は例示であり、本発明の範囲を何ら限定するものではない。
【００２０】
図１は、本実施の形態に係る紫外線照射装置の概略構成の断面図である。図１に示す紫外線照射装置１０は、開口部１２を有する筐体１４と、筐体１４に設けられた把持部１５と、筐体１４の内部に設けられており、紫外線Ｌを発する紫外線発生部としての複数のＬＥＤ１６と、筐体１４の内部に設けられており、筐体内に風を生じさせる風発生部１８と、を備える。紫外線照射装置１０は、把持部１５をユーザが掴んで、殺菌対象である床やベッド、家具等まで移動することで、簡便に紫外線照射による殺菌ができる。
【００２１】
開口部１２は、紫外線Ｌが照射される照射対象としてのカーペット２０が配置されるように設けられている。アレイ状に配列された複数のＬＥＤ１６のそれぞれは、開口部１２に向けて紫外線Ｌを照射するように配置されている。これにより、カーペット２０に対するムラの少ない紫外線照射が可能となる。少ない風発生部１８は、カーペット２０に当たる風を生じさせるように構成されている。
【００２２】
紫外線Ｌが照射される照射対象がカーペット２０のような起毛性（パイル２０ａ）の生地の場合、その隙間に入り込んだウイルスには直接紫外線Ｌが届かない領域がある。そこで、本実施の形態に係る紫外線照射装置１０は、開口部１２に配置されたカーペット２０に対して風Ｗを当てることで、カーペット２０に付着していたウイルスのような殺菌対象が移動し、それまで紫外線Ｌが届かないところに存在していたウイルスに対しても紫外線Ｌを照射することができる。その結果、殺菌効果の高い紫外線照射装置１０を実現できる。
【００２３】
開口部１２は、カーペット２０で閉塞されるように周囲の端面１４ａが全周にわたり平坦になるように形成されている。また、端面１４ａは、カーペット２０に筐体１４を押し付けた際に筐体内部のウイルスが外部に漏れ出さないように、照射対象の形状に追従しやすい弾力性のある密着部材で構成されているとよい。密着部材は、例えば、ウイルスが通らないが空気は通す可撓性のフィルターやゴムである。これにより、カーペット２０に付着していたウイルスが風Ｗにより開口部１２から外部へ飛散することを抑制できる。
【００２４】
開口部１２を囲む筐体１４の内壁１４ｂは、紫外線Ｌを開口部１２に向けて反射する反射部１４ｃを有している。反射部１４ｃは、例えば、純アルミニウム（ＪＩＳ１０００番台）の表面を電解研磨したものが好ましい。このように構成された反射部１４ｃは、紫外線を効率良く反射できるため、紫外線が無駄なく照射対象に照射される。
【００２５】
また、筐体１４の内壁１４ｂは、酸化チタンが塗布されていてもよい。酸化チタンは紫外線の照射により活性酸素を生じるため、消臭やウイルスの殺菌を更に効率良く行える。
【００２６】
風発生部１８は、ファンと、ファンが発する風の向きを変える風向変更機構と、を有している。風向変更機構は、例えば、扇風機の首振り機構や空調機のルーバー機構である。これにより、カーペット２０の広い範囲に対して、風Ｗを一様に当てることができる。また、ファンの向きは、カーペット２０に対して上方から直接吹き当てる向きが好ましい。また、風発生部１８が発生させる風は、カーペット２０に直接向かう旋回流が好ましい。これにより、パイル２０ａ自体を動かし、紫外線が直接届きにくいパイル２０ａの根本部分に存在するウイルスを殺菌できる。
【００２７】
本実施の形態に係るＬＥＤ１６は、ピーク波長が２５０〜３００ｎｍの範囲、好ましくは２６０〜２９０ｎｍの範囲にある紫外線を発する。一般的にはウイルスの不活化には波長が短い紫外線が有効であるが、波長が短い紫外線は樹脂や繊維のような有機物を劣化させることがある。そこで、ピーク波長が２５０〜３００ｎｍの範囲にあるＬＥＤ１６を用いることで、ウイルスを不活化するとともに、カーペット２０が紫外線で劣化することを抑制できる。
【００２８】
筐体１４は、開口部１２とＬＥＤ１６との間に、風発生部１８が生じさせた風Ｗがカーペット２０に当たることでカーペット２０（パイル２０ａ）から離間したウイルスを紫外線Ｌで殺菌する殺菌室２２が設けられている。これにより、カーペット２０から離間したウイルスを効率良く殺菌できる。
【００２９】
筐体１４は、殺菌室２２の開口部１２がある側とは反対側の領域に予備室２４が設けられている。風発生部１８は、殺菌室２２と予備室２４とを隔てる隔壁部２６に設けられている。予備室２４は、風発生部１８を経由して殺菌室２２から流入したウイルスに紫外線を照射する予備ＬＥＤ２８が、隔壁部３０に設けられている。
【００３０】
これにより、予備室２４に流入したウイルスも殺菌できる。なお、予備ＬＥＤ２８が発する紫外線Ｌ’は、隔壁部２６に照射され、カーペット２０に届かない。そのため、カーペット２０の劣化を考慮せずに予備ＬＥＤ２８が発する紫外線の波長を設定できる。換言すると、殺菌室２２に設けられているＬＥＤ１６が発する紫外線Ｌのピーク波長よりも短く、ウイルスの不活化により効果が高い波長の紫外線を発する予備ＬＥＤ２８を選択できる。このように、殺菌室２２に加えて予備室２４でもウイルスに紫外線を照射することで、ウイルスを確実に不活化できる。
【００３１】
予備室２４は、殺菌室２２に対して正圧になるように構成されている。具体的には、不図示のコンプレッサにより予備室２４内を殺菌室２２に対して正圧に維持している。これにより、殺菌室２２から予備室２４へウイルスが侵入しにくくなり、殺菌室２２でウイルスを効率良く殺菌できる。
【００３２】
隔壁部２６の殺菌室２２側の表面には、アルミニウムからなる反射部材２６ａが設けられている。また、隔壁部２６の予備室２４側の表面には、アルミニウムからなる反射部材２６ｂが設けられている。なお、反射部材としては、紫外線の反射率が高いものであればよく、例えば、ＰＴＦＥであってもよい。これにより、殺菌室２２および予備室２４の空間内において、ウイルスに対して紫外線が効率良く照射される。なお、隔壁部３０の予備ＬＥＤ２８が搭載されている側と反対側の領域３２には、風発生部１８の動作、ＬＥＤ１６および予備ＬＥＤ２８の点消灯を制御する制御部３４が配置されている。
【００３３】
（変形例）
前述の紫外線照射装置１０は、殺菌室２２以外に予備室２４が設けられているが、予備室がない構成であってもよい。その場合、風発生部１８は、殺菌室２２内に対流を起こすように配置すれば、殺菌室２２から空気が外部へ漏れ出る心配がない。
【００３４】
以上、本発明を上述の実施の形態を参照して説明したが、本発明は上述の実施の形態に限定されるものではなく、実施の形態の構成を適宜組み合わせたものや置換したものについても本発明に含まれるものである。また、当業者の知識に基づいて実施の形態における組合せや処理の順番を適宜組み替えることや各種の設計変更等の変形を実施の形態に対して加えることも可能であり、そのような変形が加えられた実施の形態も本発明の範囲に含まれうる。
【符号の説明】
【００３５】
１０  紫外線照射装置、  １２  開口部、  １４  筐体、  １４ａ  端面、  １４ｂ  内壁、  １４ｃ  反射部、  １６  ＬＥＤ、  １８  風発生部、  ２０  カーペット、  ２０ａ  パイル、  ２２  殺菌室、  ２４  予備室、  ２６  隔壁部、  ２６ａ，２６ｂ  反射部材、  ２８  予備ＬＥＤ、  ３０  隔壁部。
【図１】
2019216831.tif 000003